(57)【要約】【課題】  一般の電源コンセントと汎用な電気機器との間に挿入して電気機器への給電を制御するコンセントアダプタと、該コンセントアダプタを制御する節電制御装置から成るコンセント単位の節電システムを提供する。【解決手段】  コンセントアダプタ２は、優先度設定部２０３により設定された自コンセントアダプタの優先度を無線通信部２０１を介して定期的または非定期に節電制御装置１へ通知し、節電制御装置１は、自動検針装置４から現在使用中の電力データを受信すると節電条件判定部１０５は節電条件記憶部１０４を参照し節電条件に一致した場合に、優先度に従ってコンセントアダプタ２のいずれかへ給電を停止させる給電停止コマンドを送信し、給電停止コマンドを受信したコンセントアダプタ２の給電制御部２０２はスイッチ２０５を制御し、自コンセントアダプタに接続されている電気機器３への給電を停止する。【選択図】  図２
2014075893.tif 000002
【特許請求の範囲】
【請求項１】
電気機器と電源コンセントの間に挿入される１以上のコンセントアダプタと、前記コンセントアダプタを制御する節電制御装置を含む節電制御システムであって、
前記コンセントアダプタは、前記電源コンセントからの電力を前記電気機器へ給電するまたは給電を停止する給電制御手段と、給電に係る優先度を手動で設定するまたは遠隔地からリモート設定する優先度設定手段と、前記節電制御装置と無線通信を行う無線通信手段と、を有し、前記優先度設定手段により設定された自コンセントアダプタの優先度を前記無線通信手段を介して定期的または非定期に前記節電制御装置へ通知し、
前記節電制御装置は、前記コンセントアダプタと無線通信を行う無線通信手段と、前記コンセントアダプタの各々から通知される優先度および前記コンセントアダプタのいずれかの給電を停止させる節電モードを起動する節電起動条件を登録する節電条件登録手段と、現在使用中の電力に係る電力データを所定の装置から受信する電力データ受信手段と、を有し、前記電力データ受信手段が受信した現在使用中の電力データが前記節電条件登録手段に登録されている節電条件に一致した場合に、前記優先度に従って前記コンセントアダプタのいずれかへ給電を停止させる給電停止コマンドを送信し、
前記給電停止コマンドを受信したコンセントアダプタは、自コンセントアダプタに接続されている電気機器への給電を停止することを特徴とするコンセント単位の節電制御システム。
【請求項２】
請求項１に記載の節電制御システムであって、前記コンセントアダプタは、自コンセントアダプタが前記電気機器へ給電している電力測定する電力測定手段をさらに有し、前記電力測定手段が測定した電力値を前記無線通信手段を介して定期的または非定期に前記節電制御装置へ通知することを特徴とするコンセント単位の節電制御システム。
【発明の詳細な説明】
【技術分野】
【０００１】
本発明は、電源コンセント単位の節電を可能とする節電制御システムに関わるものである。具体的には、電源コンセントと電気機器との間に挿入するコンセントアダプタと、該コンセントアダプタを制御する節電制御装置から成る節電制御システムに関する。
【背景技術】
【０００２】
東日本大震災以降、節電の必要性が大きく叫ばれている。その背景には、津波による福島原発の事故で原子力発電の安全神話が崩れ、再生可能エネルギー等による『脱原発』を求める、時代の潮流がある。しかし、再生可能エネルギーによる発電システムの整備はこれからであり、また火力発電に依存していてはコストが高く、地球温暖化対策からも逆行である。そのために、国民の一人ひとりが電力消費を抑える必要がある。このような背景から、電力消費を抑えるシステムとして、電力需要ピーク時の到来と使用電力の抑制依頼を顧客に自動通知し、顧客側で自主的な電力使用抑制を図ってピーク時の電力抑制を行うシステムが提案されている（例えば、特許文献１）。
【０００３】
しかしながら、特許文献１の方法では、使用電力がピークにならない限り使用電力抑制依頼を顧客に通知せず、また、使用電力抑制依頼を通知しても顧客が使用電力を抑制するとは限らないといった問題があった。
【先行技術文献】
【特許文献】
【０００４】
【特許文献１】特開２０１０−１２８８１０号公報
【発明の概要】
【発明が解決しようとする課題】
【０００５】
そこで、本発明の課題は、上記の問題を解決するために、一般の電源コンセントと汎用な電気機器との間に挿入して電気機器への給電を制御するコンセントアダプタと、該コンセントアダプタを制御する節電制御装置から成るコンセント単位の節電システムを提供することにある。
【課題を解決するための手段】
【０００６】
電気機器と電源コンセントの間に挿入される１以上のコンセントアダプタと、前記コンセントアダプタを制御する節電制御装置を含む節電制御システムであって、前記コンセントアダプタは、前記電源コンセントからの電力を前記電気機器へ給電するまたは給電を停止する給電制御手段と、給電に係る優先度を手動で設定するまたは遠隔地からリモート設定する優先度設定手段と、前記節電制御装置と無線通信を行う無線通信手段と、を有し、前記優先度設定手段により設定された自コンセントアダプタの優先度を前記無線通信手段を介して定期的または非定期に前記節電制御装置へ通知し、前記節電制御装置は、前記コンセントアダプタと無線通信を行う無線通信手段と、前記コンセントアダプタの各々から通知される優先度および前記コンセントアダプタのいずれかの給電を停止させる節電モードを起動する節電起動条件を登録する節電条件登録手段と、現在使用中の電力に係る電力データを所定の装置から受信する電力データ受信手段と、を有し、前記電力データ受信手段が受信した現在使用中の電力データが前記節電条件登録手段に登録されている節電条件に一致した場合に、前記優先度に従って前記コンセントアダプタのいずれかへ給電を停止させる給電停止コマンドを送信し、前記給電停止コマンドを受信したコンセントアダプタは、自コンセントアダプタに接続されている電気機器への給電を停止することを特徴とするコンセント単位の節電制御システム。
【発明の効果】
【０００７】
本発明によれば、電気機器への給電をコンセント単位に木目細かく制御することが可能な節電システムを提供できる。
【図面の簡単な説明】
【０００８】
【図１】本発明によるコンセント単位の節電システムに関わる全体構成図である。
【図２】本発明によるコンセント単位の節電システムの機能ブロック構成図である。
【図３】本発明によるコンセント単位の節電システムの節電条件登録テーブルである。
【図４】本発明によるコンセント単位の節電システムの節電制御装置の動作フローチャートである。
【図５】本発明によるコンセント単位の節電システムのコンセントアダプタの動作フローチャートである。
【発明を実施するための形態】
【０００９】
以下、本発明の実施形態について図面を参照しながら説明する。
【００１０】
図１は本発明によるコンセント単位の節電システムに関わる全体構成図である。節電制御装置１は、無線接続された自動検針装置４から現在使用中の電力値データを受信し、また無線接続された各コンセントアダプタ２から各々の使用電力量および優先度データを受信し、現在使用中の電力値データが予め登録された登録されている節電条件に一致した場合に、各コンセントアダプタ２の優先度に応じて給電停止コマンドを送信する。給電停止コマンドを受信したコンセントアダプタ２は接続された電気機器３への給電を停止する。
【００１１】
ここで、コンセントアダプタ２の優先度とは、コンセントアダプタ２への給電を停止する場合に係るものであって、優先度の低いものから先に給電の停止を行うものである。優先度の設定方法は、コンセントアダプタ２を手動で設定する、または遠隔地（節電制御装置３）からのリモート設定するものとする。
【００１２】
図２は本発明によるコンセント単位の節電システムの機能ブロック構成図である。本発明によるコンセント単位の節電システムは、節電制御装置１と、コンセントアダプタ２によって構成されており、節電制御装置１と無線接続された自動検針装置４と、コンセントアダプタ２に電気機器３が接続されている。
【００１３】
節電制御装置１は、コンセントアダプタ２または自動検針装置４と無線通信を行う無線通信部１０１と、節電条件にしたがって給電停止コマンドの送信制御を行う制御部１０２と、節電条件を入力する入力部１０３と、節電条件を登録する節電条件記憶部１０４と、節電条件記憶部１０４から節電条件を参照し給電停止コマンドを送信すべきコンセントアダプタを判定する節電条件判定部１０５から構成されている。
【００１４】
コンセントアダプタ２は、節電制御装置１と無線通信を行う無線通信部２０１と、節電制御装置１から受信した給電停止コマンドにより電気機器３への給電を停止させる制御を行う給電制御部２０２と、手動で優先度設定を行う優先度設定部２０３と、自コンセントアダプタのコンセントアダプタＩＤ、優先度、使用電力値を記憶する記憶部２０４と、電気機器３への給電および給電を停止させるスイッチ２０５と、自コンセントアダプタに接続されている電機機器３の使用電力値を測定する電力測定部２０６から構成されている。
【００１５】
図３は本発明によるコンセント単位の節電システムの節電条件登録テーブルである。節電条件登録テーブル３００は、列３０１に各コンセントアダプタを識別するコンセントアダプタＩＤ、列３０２にコンセントアダプタＩＤに対応して付与されている優先度、列３０３に各コンセントアダプタの使用電力値が格納され、レコード３０４ごとに登録されている。尚、優先度については簡単化のため、「高」、「中」、「低」の３段階で表現しているが、この限りではない。
【００１６】
図４は本発明によるコンセント単位の節電システムの節電制御装置１の動作フローチャートである。本フローは電源が投入されたときにスタートし、自動検針装置４から現在使用中の電力データを受信したか否か（Ｓ４０１）、節電条件登録テーブルの変更操作が為されたか否か（Ｓ４１０）、コンセントアダプタ２からデータを受信したか否か（Ｓ４１２）の確認を繰り返す。
【００１７】
自動検針装置４から電力値データを受信した場合（Ｓ４０１、Ｙｅｓ）、節電条件記憶部１０４を参照し、節電条件の電力量を超えたか否かを確認する（Ｓ４０２）。節電条件の電力値を超えていなければ（Ｓ４０２、Ｎｏ）、再びＳ４０１に戻る。
【００１８】
節電条件の電力値を超えていた場合（Ｓ４０２、Ｙｅｓ）、節電条件記憶部１０４の節電条件登録テーブルを参照し、最低の優先度が設定されたコンセントアダプタを抽出し、抽出された各コンセントアダプタの消費電力の合計を算出する（Ｓ４０３）。
【００１９】
次に、自動検針装置４から受信した電力値データと節電条件の電力値の差分と、Ｓ４０３で算出した消費電力の合計を比較し、算出した消費電力の合計は差分以上か否かを判定する（Ｓ４０４）。算出した消費電力の合計が差分未満であった場合（Ｓ４０４、Ｎｏ）、Ｓ４０３で抽出したコンセントアダプタの内、使用電力値が最も低いコンセントアダプタへ給電停止コマンドを送信する（Ｓ４０５）。
【００２０】
次に、給電停止コマンドを送信したコンセントアダプタを除いて消費電力の合計を再び算出し（Ｓ４０６）、算出した消費電力の合計が差分以下であった場合は（Ｓ４０７、Ｙｅｓ）、Ｓ４０１に戻る。また、算出した消費電力の合計が差分より大きい場合は（Ｓ４０７、Ｎｏ）、Ｓ４０５に戻り、さらに給電停止コマンドを送信したコンセントアダプタを除いて使用電力値が次に低いコンセントアダプタへ給電停止コマンドを送信する。
【００２１】
また、算出した消費電力の合計が差分以上である場合は（Ｓ４０４、Ｙｅｓ）、Ｓ４０３で抽出した優先度を設定されたコンセントアダプタ全てに給電停止コマンドを送信し（Ｓ４０８）、さらに一つ上の優先度を設定されたコンセントアダプタを抽出し消費電力の合計を算出して（Ｓ４０９）、再びＳ４０４へ戻る。さらに一つ上の優先度を設定されたコンセントアダプタを抽出するのは、Ｓ４０３で抽出した優先度のコンセントアダプタを停止しても差分に満たないためである。
【００２２】
尚、ここで給電停止コマンドを送信する対象の優先度を自動的に引き上げていくが、優先度「高」には給電停止されると不都合がある電気機器が接続されていると想定されるため、問題が生じる可能性がある。この場合は、無線通信部１０１を介して図示しない無線端末等に、または通信網と接続して携帯電話等に優先度「高」のコンセントアダプタが止まる旨の警告通知を送出するものであっても良い。
【００２３】
次に、自動検針装置から電力データを受信せず（Ｓ４０１、Ｎｏ）、入力部１０３から節電条件登録テーブルの変更操作を受付けた場合（Ｓ４１０、Ｙｅｓ）、節電条件登録テーブルの変更を適用して節電条件登録テーブルを更新して、優先度設定コマンドを各コンセントアダプタに送信し（Ｓ４１１）、Ｓ４０１に戻る。
【００２４】
また、自動検針装置から電力データを受信せず（Ｓ４０１、Ｎｏ）、節電条件登録テーブルの変更操作を受付けず（Ｓ４１０、Ｎｏ）、コンセントアダプタからデータを受信した場合（Ｓ４１２、Ｙｅｓ）、節電条件テーブルに受信したデータを格納して更新し（Ｓ４１３）、Ｓ４０１に戻る。
【００２５】
図５は本発明によるコンセント単位の節電システムのコンセントアダプタ２の動作フローチャートである。本フローは電源が投入されたときにスタートし、自コンセントアダプタに対するデータを受信したか否か（Ｓ５００）、使用電力値の測定タイミングが到来したか否か（Ｓ５０６）の確認を繰り返す。
【００２６】
自コンセントアダプタに対するデータを受信した場合は（Ｓ５００、Ｙｅｓ）、受信したコマンドを確認する。給電停止コマンドを受信した場合（Ｓ５０１、Ｙｅｓ）、自コンセントアダプタの給電スイッチ２０５をＯＦＦにする（Ｓ５０２）。給電停止コマンドを受信せず（Ｓ５０１、Ｎｏ）、優先度設定コマンドを受信した場合（Ｓ５０４、Ｙｅｓ）、自コンセントアダプタの優先度を変更する（Ｓ５０５）。
【００２７】
自コンセントアダプタに対するデータ受信でなく（Ｓ５００、Ｎｏ）、使用電力値の測定タイミングが到来した場合（Ｓ５０６、Ｙｅｓ）、Ｓ５０２の処理後、またＳ５０５の処理後のいずれの後も、自コンセントアダプタの情報（コンセントアダプタＩＤ、使用電力値、優先度）を節電制御装置１へ送信して（Ｓ５０３）、Ｓ５００に戻る。
【符号の説明】
【００２８】
１・・・・・節電制御装置
２・・・・・コンセントアダプタ
３・・・・・電気機器
４・・・・・自動検針装置
１０１・・・無線通信部
１０２・・・制御部
１０３・・・入力部
１０４・・・節電条件記憶部
１０５・・・節電条件判定部
２０１・・・無線通信部
２０２・・・給電制御部
２０３・・・優先度設定部
２０４・・・記憶部
２０５・・・給電スイッチ
２０６・・・電力測定部
【図１】
2014075893.tif 000003
【図２】
2014075893.tif 000004
【図３】
2014075893.tif 000005
【図４】
2014075893.tif 000006
【図５】
2014075893.tif 000007